(57)【特許請求の範囲】
【請求項１】
伝送速度が異なるパケットを含むマルチレートの入力信号から、所望の伝送速度のパケットの再生に要するクロックを再生するとともに、そのクロックに基づき入力信号から所望の伝送速度のパケットを再生して出力するクロック及びデータ再生回路において、
入力信号に含まれるパケットのうち、パケットの再生に要するクロック再生動作を乱す可能性のあるパケットを排除するパケット選択回路と、
このパケット選択回路から出力された信号に基づき、パケットの再生に要するクロックを再生するクロック再生回路と、
このクロック再生回路と並列的に設けられ、クロック再生回路で再生されたクロックに基づき、パケット選択回路から出力された信号に含まれる所望の伝送速度のパケットを再生し受信データとして出力するデータ再生回路とを備え、
パケット選択回路は、入力信号内の各パケットに含まれる特定パターンに同調して正弦波状の信号を出力する同調回路と、この同調回路からの正弦波状の信号を積分する積分回路と、この積分回路からの積分出力に応じてゲート信号を発生するゲート信号発生回路と、このゲート信号発生回路からのゲート信号に基づき、入力信号の出力制御を行うスイッチとを備える
ことを特徴とするクロック及びデータ再生回路。
【請求項２】
伝送速度が異なるパケットを含むマルチレートの入力信号から、所望の伝送速度のパケットの再生に要するクロックを再生するとともに、そのクロックに基づき入力信号から所望の伝送速度のパケットを再生して出力するクロック及びデータ再生回路において、
入力信号に含まれるパケットのうち、パケットの再生に要するクロック再生動作を乱す可能性のあるパケットを排除するパケット選択回路と、
このパケット選択回路から出力された信号に基づき、パケットの再生に要するクロックを再生するクロック再生回路と、
入力信号に対してパケット選択回路と並列的に設けられ、クロック再生回路で再生されたクロックに基づき、入力信号に含まれる所望の伝送速度のパケットを再生し受信データとして出力するデータ再生回路とを備えることを特徴とするクロック及びデータ再生回路。
【請求項３】
請求項２記載のクロック及びデータ再生回路において、
パケット選択回路は、
入力信号内の各パケットに含まれる特定パターンに同調して正弦波状の信号を出力する同調回路と、
この同調回路からの正弦波状の信号を積分する積分回路と、
この積分回路からの積分出力に応じてゲート信号を発生するゲート信号発生回路と、
このゲート信号発生回路からのゲート信号に基づき、入力信号の出力制御を行うスイッチとを備えることを特徴とするクロック及びデータ再生回路。
【請求項４】
請求項３記載のクロック及びデータ再生回路において、
ゲート信号発生回路は、
積分回路からの積分出力が所定のしきい値に達した時点で出力開始信号を出力するレベル判定回路と、
このレベル判定回路からの出力開始信号に応じてパケットの最後尾が含まれる期間だけ計時し、その計時終了に応じて出力停止信号を出力するタイマー回路と、
レベル判定回路からの出力開始信号に応じてゲート信号の出力を開始し、タイマー回路からの出力停止信号に応じてゲート信号の出力を停止するＯＮ／ＯＦＦ回路とを備えることを特徴とするクロック及びデータ再生回路。
【請求項５】
伝送速度が異なるパケットを含むマルチレートの入力信号から、所望の伝送速度のパケットの再生に要するクロックを再生するとともに、そのクロックに基づき入力信号から所望の伝送速度のパケットを再生して出力するクロック及びデータ再生回路において、
入力信号に含まれるパケットのうち、パケットの再生に要するクロック再生動作を乱す可能性のあるパケットを排除するパケット選択回路と、
このパケット選択回路から出力された信号に基づき、パケットの再生に要するクロックを再生するクロック再生回路と、
このクロック再生回路と並列的に設けられ、クロック再生回路で再生されたクロックに基づき、パケット選択回路から出力された信号に含まれる所望の伝送速度のパケットを再生して出力するデータ再生回路と、
クロック再生回路で再生されたクロックとデータ再生回路で再生されたデータとに基づきそのパケットから特定の情報を検出し、その特定の情報に基づいてパケット選択回路を制御する論理終端回路とを備え、
パケット選択回路は、入力信号内の各パケットに含まれる特定パターンに同調して正弦波状の信号を出力する同調回路と、この同調回路からの正弦波状の信号を積分する積分回路と、この積分回路からの積分出力及び論理終端回路からの制御信号に応じてゲート信号を発生するゲート信号発生回路と、このゲート信号発生回路からのゲート信号に基づき、入力信号の出力制御を行うスイッチとを備える
ことを特徴とするクロック及びデータ再生回路。
【請求項６】
伝送速度が異なるパケットを含むマルチレートの入力信号から、所望の伝送速度のパケットの再生に要するクロックを再生するとともに、そのクロックに基づき入力信号から所望の伝送速度のパケットを再生して出力するクロック及びデータ再生回路において、
入力信号に含まれるパケットのうち、パケットの再生に要するクロック再生動作を乱す可能性のあるパケットを排除するパケット選択回路と、
このパケット選択回路から出力された信号に基づき、パケットの再生に要するクロックを再生するクロック再生回路と、
入力信号に対してパケット選択回路と並列的に設けられ、クロック再生回路で再生されたクロックに基づき、入力信号に含まれる所望の伝送速度のパケットを再生して出力するデータ再生回路と、
クロック再生回路で再生されたクロックとデータ再生回路で再生されたデータとに基づきそのパケットから特定の情報を検出し、その特定の情報に基づいてパケット選択回路を制御する論理終端回路とを備えることを特徴とするクロック及びデータ再生回路。
【請求項７】
請求項６記載のクロック及びデータ再生回路において、
パケット選択回路は、
入力信号内の各パケットに含まれる特定パターンに同調して正弦波状の信号を出力する同調回路と、
この同調回路からの正弦波状の信号を積分する積分回路と、
この積分回路からの積分出力及び論理終端回路からの制御信号に応じてゲート信号を発生するゲート信号発生回路と、
このゲート信号発生回路からのゲート信号に基づき、入力信号の出力制御を行うスイッチとを備えることを特徴とするクロック及びデータ再生回路。
【請求項８】
請求項７記載のクロック及びデータ再生回路において、
ゲート信号発生回路は、
積分回路からの積分出力が所定のしきい値に達した時点で出力開始信号を出力するレベル判定回路と、
レベル判定回路からの出力開始信号に応じてゲート信号の出力を開始し、論理終端回路からの制御信号に応じてゲート信号の出力を停止するＯＮ／ＯＦＦ回路とを備えることを特徴とするクロック及びデータ再生回路。
【請求項９】
請求項５または７記載のクロック及びデータ再生回路において、
論理終端回路は、
特定の情報として、パケットからそのパケット長を示す情報を検出し、そのパケット長に応じてそのパケットの最後尾を含む所定期間まで計時し、その計時終了に応じて制御信号を出力することを特徴とするクロック及びデータ再生回路。
【請求項１０】
請求項５または７記載のクロック及びデータ再生回路において、
論理終端回路は、
特定の情報として、パケットの最後尾を示す情報を検出し、その情報の検出に応じて制御信号を出力することを特徴とするクロック及びデータ再生回路。
【請求項１１】
請求項１〜１０記載のクロック及びデータ再生回路において、
パケット選択回路は、
パケットの先頭に配置された特定のパターンに基づき、所望の伝送速度を有するパケットのみを選択して出力することを特徴とするクロック及びデータ再生回路。
【発明の詳細な説明】
【０００１】
【発明の属する技術分野】
本発明は、クロック及びデータ再生回路に関し、特にデータ伝送システムにおける従属装置内の受信装置で用いられるクロック及びデータ再生回路に関するものである。
【０００２】
【従来の技術】
通常、主装置内の送信装置から所定の伝送速度を有する各情報パケットを送信し、これを従属装置内の受信装置で受信して再生することにより情報伝送を行うデータ伝送システムでは、従属装置内の受信装置にクロック及びデータ再生回路を設けて、受信した信号からデータ伝送に必要なクロックと所望のデータとを再生するものとなっている。
【０００３】
図１０は従来のクロック及びデータ再生回路の構成例を示す説明図であり、（ａ）はブロック図、（ｂ）はその動作を示すタイミングチャートである。
主装置内の送信装置から送信された単一伝送速度の光信号は、従属装置において光信号は電気信号に変換されアンプにより十分なレベルまで増幅された後、入力信号Ｄｉｎとして入力端子１からクロック及びデータ再生回路２に入力される。
【０００４】
なお、主装置内の送信装置から電気信号が送信される場合、従属装置においてアンプにより十分なレベルまで増幅された後、入力信号Ｄｉｎとして入力端子１からクロック及びデータ再生回路２に入力される。
クロック及びデータ再生回路２において、入力信号Ｄｉｎは分岐点２３で分岐され、データ再生回路２１とクロック再生回路２２の両方に入力される。
【０００５】
クロック再生回路２２では、入力信号Ｄｉｎの立ち上がり（または立ち下がり）点を用いて位相タイミングが判定され、その判定結果に基づきタイミング及びクロック周波数が調整されて、クロックＣｏｕｔが再生出力される。
また、データ再生回路２１では、クロック再生回路２２で再生されたクロックＣｏｕｔに基づきデータの振幅がしきい値を越えているか否かが判定され、受信データＤｏｕｔが再生出力される。
【０００６】
【発明が解決しようとする課題】
しかしながら、主装置と従属装置との間において、単一の伝送速度での伝送に用いられる従来のクロック及びデータ再生回路に、異なる伝送速度（ピットレート）を有するパケットが含まれるマルチレート信号が入力された場合、図１１に示すような問題点があった。
図１１は従来のクロック及びデータ再生回路の動作例を示すタイミングチャートである。
【０００７】
まず、従属装置の受信可能な伝送速度をｆｏ（ｂｐｓ）とし、その受信タイミングを信号ａとする。
この際、クロック再生回路２２で再生されるクロックＣＬＫはｆｏ（Ｈｚ）となる。
ここで、クロック及びデータ再生回路に、伝送速度ｆｏ／ｎ（ｎは自然数）の信号ｂが入力された場合（例えば、ｎ＝２）には、信号ｂの立ち上がり（立ち下がり）は信号ａと同じところに生じるため問題はない。
【０００８】
一方、それ以外の伝送速度の信号ｃ（マルチレート信号）が入力された場合、信号ｃの立ち上がり（立ち下がり）が信号ａと異なる場合が発生する。
このとき、クロック再生回路２２は、入力された信号ｃの立ち上がり（立ち下がり）タイミングに基づき、ＣＬＫとの位相タイミングのズレを打ち消すように動作する。
【０００９】
しかし、その修正には有限の時間が必要となるため、一度大きくズレると再び安定するまでにかなりの時間がかかり、本来ならばデータの再生が可能な伝送速度のパケットが入力された時にも、データの再生を正しく行えない場合があるという問題点があった。
本発明はこのような課題を解決するためのものであり、従来の構成を大幅変更することなく、マルチレート信号が入力された場合でも安定動作するクロック及びデータ再生回路を提供することを目的としている。
【００１０】
【課題を解決するための手段】
このような目的を達成するために、本発明によるクロック及びデータ再生回路は、入力信号に含まれるパケットのうち、パケットの再生に要するクロック再生動作を乱す可能性のあるパケットを排除するパケット選択回路を設け、このパケット選択回路から出力された信号に基づきパケットの再生に要するクロックを再生するとともに、その再生されたクロックに基づきパケット選択回路から出力された信号に含まれる所望の伝送速度のパケットを再生し受信データとして出力し、この際、パケット選択回路において、入力信号内の各パケットに含まれる特定パターンに同調して正弦波状の信号を出力し、この正弦波状の信号を積分した積分出力に応じてゲート信号を発生させ、このゲート信号に基づき入力信号の出力制御を行うようにしたものである。
【００１１】
また、入力信号に含まれるパケットのうち、パケットの再生に要するクロック再生動作を乱す可能性のあるパケットを排除するパケット選択回路を設け、このパケット選択回路から出力された信号に基づき、パケットの再生に要するクロックを再生するとともに、その再生されたクロックに基づき、入力信号に含まれる所望の伝送速度のパケットを再生し受信データとして出力するようにしたものである。
【００１２】
また、パケット選択回路において、入力信号内の各パケットに含まれる特定パターンに同調して正弦波状の信号を出力し、この正弦波状の信号を積分した積分出力に応じてゲート信号を発生させ、このゲート信号に基づき入力信号の出力制御を行うようにしたものである。
【００１３】
また、ゲート信号発生回路において、積分回路からの積分出力が所定のしきい値に達した時点で出力開始信号を出力し、この出力開始信号に応じてパケットの最後尾が含まれる期間だけ計時することにより出力停止信号を出力し、その出力開始信号に応じてゲート信号の出力を開始するとともに、その出力停止信号に応じてゲート信号の出力を停止するようにしたものである。
【００１４】
また、本発明による他のクロック及びデータ再生回路は、入力信号に含まれるパケットのうち、パケットの再生に要するクロック再生動作を乱す可能性のあるパケットを排除するパケット選択回路を設け、このパケット選択回路から出力された信号に基づきパケットの再生に要するクロックを再生するとともに、その再生されたクロックに基づきパケット選択回路から出力された信号に含まれる所望の伝送速度のパケットを再生して出力し、これら再生されたクロックとデータとに基づきそのパケットから検出された特定の情報に基づいてパケット選択回路を制御し、この際、パケット選択回路において、入力信号内の各パケットに含まれる特定パターンに同調して正弦波状の信号を出力し、この正弦波状の信号を積分した積分出力と論理終端回路からの制御信号に応じてゲート信号を発生させ、このゲート信号に基づき入力信号の出力制御を行うようにしたものである。
【００１５】
また、入力信号に含まれるパケットのうち、パケットの再生に要するクロック再生動作を乱す可能性のあるパケットを排除するパケット選択回路を設け、このパケット選択回路から出力された信号に基づきパケットの再生に要するクロックを再生するとともに、その再生されたクロックに基づき入力信号に含まれる所望の伝送速度のパケットを再生し受信データとして出力し、これら再生されたクロックとデータとに基づきそのパケットから検出された特定の情報に基づいてパケット選択回路を制御するようにしたものである。
【００１６】
また、パケット選択回路において、入力信号内の各パケットに含まれる特定パターンに同調して正弦波状の信号を出力し、この正弦波状の信号を積分した積分出力と論理終端回路からの制御信号に応じてゲート信号を発生させ、このゲート信号に基づき入力信号の出力制御を行うようにしたものである。
【００１７】
また、ゲート信号発生回路において、積分回路からの積分出力が所定のしきい値に達した時点で出力開始信号を出力し、この出力開始信号に応じてゲート信号の出力を開始し、論理終端回路からの制御信号に応じてゲート信号の出力を停止するようにしたものである。
【００１８】
また、論理終端回路において、特定の情報として、パケットからそのパケット長を示す情報を検出し、そのパケット長に応じてそのパケットの最後尾を含む所定期間まで計時し、その計時終了に応じて制御信号を出力するようにしたものである。
また、論理終端回路において、特定の情報として、パケットの最後尾を示す情報を検出し、その情報の検出に応じて制御信号を出力するようにしたものである。
【００１９】
また、パケット選択回路において、パケットの先頭に配置された特定のパターンに基づき、所望の伝送速度を有するパケットのみを選択して出力するようにしたものである。
【００２０】
【発明の実施の形態】
次に、本発明について図面を参照して説明する。
図１は本発明の第１の実施の形態であるクロック及びデータ再生回路を示すブロック図であり、前述の説明（図１０参照）と同じまたは同等部分には同一符号が付してある。
本実施の形態では、従来と同様のクロック再生回路及びデータ再生回路の前段にパケット選択回路を設けて、所望の伝送速度のパケットを選択し、クロック再生動作を乱す可能性のある伝送速度のパケットを排除するようにしたものである。
【００２１】
同図のクロック及びデータ再生回路２ａにおいて、２１はデータ再生回路、２２はクロック再生回路であり、前述の説明（図１０参照）と同様の機能を有している。
５ａはパケット選択回路であり、主装置内の送信装置からの信号から生成された入力信号Ｄｉｎが入力される入力端子１と分岐点２３との間に設けられている。
【００２２】
ここでは、入力端子１から入力された入力信号Ｄｉｎに含まれるパケットのうち、クロック再生回路２２でのクロック再生動作を乱す可能性のあるパケットだけが選別及び排除される。
そして、残りのパケットが後段のクロック再生回路２２及びデータ再生回路２１へ供給される。
【００２３】
次に、図２を参照して、パケット選択回路５ａの構成例について説明する。
図２はパケット選択回路の構成例を示すブロック図である。
同図において、５１はパケット選択回路に入力された信号５５（すなわち入力信号Ｄｉｎ）に、そのデータ伝送システムで用いられる複数の伝送速度の信号の中で、受信しようとする所望の伝送速度のパケットの先頭に位置するＰＲ（プリアンブル）信号が含まれている場合、それに反応して正弦波状の信号５６を出力する同調回路である。
【００２４】
５２は同調回路５１からの正弦波状の信号５６を積分して出力する積分回路、５３ａは積分回路５２からの積分出力５７に基づきゲート信号５８を発生させるゲート信号発生回路である。
５４はゲート信号発生回路５３ａからのゲート信号５８に基づき、信号５５すなわち入力信号Ｄｉｎの出力可否を制御するＳＷ（スイッチ）回路である。
【００２５】
また、ゲート信号発生回路５３ａは、図３に示すような構成となっている。
図３はゲート信号発生回路の構成例を示すブロック図である。
５３１は積分回路５２からの積分出力５７を所定のしきい値と比較し、その判定結果に基づき出力開始信号５３４を出力するレベル判定回路、５３３はレベル判定回路５３１からの出力開始信号５３４に応じて計時を開始し、所定期間経過後に出力停止信号５３５を出力するタイマー回路である。
【００２６】
５３２はレベル判定回路５３１からの出力開始信号５３４に基づきゲート信号５８の出力を開始し、タイマー回路５３３からの出力停止信号５３５に基づきゲート信号５８の出力を停止することにより、ゲート信号５８のＯＮ／ＯＦＦを制御するＯＮ／ＯＦＦ回路である。
【００２７】
次に、図４を参照して、第１の実施の形態によるクロック及びデータ再生回路の動作について説明する。
図４は第１の実施の形態によるクロック及びデータ再生回路の動作の腰部を示すタイミングチャートである。
一般に、パケットの先頭部分には、そのパケットに同期するためのＰＲ（プリアンブル）信号が配置されている。
【００２８】
このＰＲ信号は、通常、１／０の繰り返し信号から構成されており、これを参照することにより、そのパケットの伝送速度（ビットレート）が検出される。
パケット選択回路５ａでは、入力信号Ｄｉｎに含まれるＰＲ信号が同調回路５１により検出される。
すなわち、時刻Ｔ１において、そのデータ伝送システムで用いる所望の伝送速度のＰＲ信号が同調回路５１に入力された場合、同調回路５１がこれに強く反応して内部正弦波状の信号が生成される。
【００２９】
そして、その内部正弦波状の信号のうち、所定のしきい値ｔｈ１を越えたものが正弦波状の信号５６として出力される。
この正弦波状の信号５６は積分回路５２で積分され、その積分出力５７がゲート信号発生回路５３ａに入力される。
この積分出力５７は、ゲート信号発生回路５３ａのレベル判定回路５３１において、所定のしきい値ｔｈ２と比較される。
【００３０】
ここで、積分出力５７がしきい値ｔｈ２を越えた場合（時刻Ｔ２）、レベル判定回路５３１から出力開始信号５３４が出力される。
これに応じてＯＮ／ＯＦＦ回路５３２がＯＮ状態となり、ＯＮ／ＯＦＦ回路５３２から、ＳＷ回路５４を開くように指示するゲート信号５８が出力され、ＳＷ回路５４から入力信号Ｄｉｎ（信号５５）の出力が開始される。
【００３１】
これにより、時刻Ｔ２以降、ゲート信号５８が停止されるまで、入力信号Ｄｉｎが分岐点２３を介して、クロック再生回路２２及びデータ再生回路２１へ分岐出力される。
そして、クロック再生回路２２で再生されたクロックＣｏｕｔが出力端子４から出力されるとともに、このクロックＣｏｕｔに基づきデータ再生回路２１においてデータが再生され、受信データＤｏｕｔが出力端子３から出力される。
【００３２】
また、出力開始信号５３４に応じてタイマー回路５３３が起動され、時刻Ｔ２からそのパケットの最後尾までを含む期間長の計時が開始される。
そして、時刻Ｔ２から所定期間長経過後すなわちパケットの最後尾が受信された後（時刻Ｔ３）、タイマー回路５３３がタイムアップして出力停止信号５３５が出力され、ＯＮ／ＯＦＦ回路５３２がＯＦＦ状態となる。
【００３３】
これにより、ゲート信号５８の出力が停止されてＳＷ回路５４がオフし、入力信号Ｄｉｎの出力が停止されるため、クロック再生回路２２でのクロック再生動作が停止される。
【００３４】
一方、時刻Ｔ１において、そのデータ伝送システムで用いる所望の伝送速度ではないＰＲ信号が同調回路５１に入力された場合、同調回路５１の反応は小さく、正弦波状の信号５６は大きく成長しない。
したがって、積分回路５２から有効な積分出力５７が出力されず、ゲート信号５８が停止されたままとなる。
【００３５】
これにより、入力信号Ｄｉｎがクロック再生回路２２へ出力されなくなり、結果として、クロック再生動作を乱す可能性のある伝送速度のパケットであると判断されて、そのパケットが排除され、クロック再生動作が行われない。
【００３６】
このように、本実施の形態では、従来と同様のクロック再生回路２２及びデータ再生回路２１の前段にパケット選択回路５ａを設けて、所望の伝送速度のパケットを選択し、クロック再生動作を乱す可能性のある伝送速度のパケットを排除するようにしたものである。
これにより、クロック再生回路２２において、入力信号Ｄｉｎから外乱パケットが選別排除された後の信号に基づきクロック再生動作が行われ、入力信号Ｄｉｎとして通常の単一伝送速度とは異なる速度のマルチレート信号が入力された場合でも、安定したクロック再生動作が保証される。
【００３７】
さらに、クロック再生回路２２及びデータ再生回路２１の前段にパケット選択回路５ａが設けられているため、分岐点２３以降の構成が従来構成すなわちクロック及びデータ再生回路２（図１０参照）と同等となり、回路構成を変更することなく従来の構成をそのままの形で利用できる。
【００３８】
また、パケット選択回路５ａにおいて、同調回路５１とゲート信号発生回路５３ａとの間に積分回路５２を設けて、同調回路５１からの正弦波状の信号５６を積分出力するようにしたので、同調回路５１からの正弦波状の信号がその時定数で決定される期間継続して出力されない限り、ゲート信号５８が出力されなくなる。
入力信号Ｄｉｎの中に存在する所望以外の伝送速度のパケットの中に、所望の伝送速度のＰＲ信号に類似のパターンが存在する場合においても、通常数バイトの長さを持つＰＲ信号に比べて、その長さは確率的に十分短い。
そのため、所望の伝送速度を有するＰＲ信号を安定して検出できる。
【００３９】
また、ゲート信号発生回路５３ａにおいて、レベル判定回路５３１からの判定出力に応じて起動されるタイマー回路５３３を設けて、そのパケットの最後尾までを含む期間長を計時し、その計時終了に応じて出力停止信号５３５を出力するようにしたので、比較的簡単な回路構成で有効なパケットをその最後尾まで、確実に出力することができる。
【００４０】
次に、図５を参照して、本発明の第２の実施の形態について説明する。
図５は本発明の第２の実施の形態であるクロック及びデータ再生回路を示すブロック図であり、前述の説明（図１参照）と同じまたは同等部分には同一符号が付してある。
第１の実施の形態では、クロック再生回路２２及びデータ再生回路２１の前段にパケット選択回路５ａを設けた場合について説明したが、本実施の形態に示すように、クロック再生回路２２の前段にのみパケット選択回路５ａを設けてもよい。
【００４１】
すなわち図５では、クロック及びデータ再生回路２ｂ内の分岐点２３とクロック再生回路２２との間に、パケット選択回路５ａが設けられている。
この場合、入力信号Ｄｉｎは分岐点２３で分岐され、パケット選択回路５ａとデータ再生回路２１とに供給される。
これにより、パケット選択回路５ａで外乱パケットが選別排除された後の信号が、クロック再生回路２２へのみ供給される。
【００４２】
これにより、第２の実施の形態によれば、データ再生回路２１へは入力信号Ｄｉｎが加工されることなくそのままの形で入力されるため、データ再生回路２１において、従来と同等のデータ再生動作が保証される。
なお、パケット選択回路５ａ及びゲート信号発生回路５３ａの構成については、第１の実施の形態と同様であり、前述した図２さらには図３の構成がそれぞれ用いられる。
【００４３】
次に、図６を参照して、本発明の第３の実施の形態について説明する。
図６は本発明の第３の実施の形態によるクロック及びデータ再生回路の構成例を示すブロック図であり、前述の説明（図１，図５参照）と同じまたは同等部分には同一符号を付してある。
第１及び第２の実施の形態では、パケット選択回路５ａのゲート信号発生回路５３ａにタイマー回路５３３を設けて、パケットの最後尾までを含む期間を示すゲート信号５８を発生させる場合について説明した。
【００４４】
しかし、本実施の形態に示すように、タイマー回路５３３の代わりに論理終端回路６を設け、受信データＤｏｕｔからパケットに含まれるその最後尾位置を示す特定の情報を検出し、その特定の情報に基づきゲート信号５８の停止タイミング、すなわちパケットの最後尾までを含む期間を決定するようにしてもよい。
【００４５】
同図において、前述したパケット選択回路５ａに代えて、タイマー回路５３３を持たないパケット選択回路５ｂが配置されている。
また、論理終端回路６は、クロック再生回路２２及びデータ再生回路２１の後段に配置されている。
【００４６】
この論理終端回路６では、クロック再生回路２２で再生されたクロックＣｏｕｔ及びデータ再生回路２１で再生された受信データＤｏｕｔを用いて、所望の伝送速度を有するパケットに含まれる特定の情報が検出される。
そして、その情報に基づいて論理的にそのパケットの最後尾の受信タイミングが生成され、パケット最後尾位置を示す制御信号６１がパケット選択回路５ｂに出力される。
【００４７】
図７はパケット選択回路の他の構成例を示すブロック図であり、本実施の形態で用いられるパケット選択回路５ｂが示されている。
ここでは、前述したゲート信号発生回路５３ａの代わりに、ゲート信号発生回路５３ｂが設けられており、論理終端回路６からの制御信号６１がゲート信号発生回路５３ｂに入力されている。
【００４８】
また図８はゲート信号発生回路の他の構成例を示すブロック図であり、本実施の形態で用いられるゲート信号発生回路５３ｂが示されている。
ここでは、前述したタイマー回路５３３が取り除かれ、出力停止信号５３５の代わりに、論理終端回路６からの制御信号６１がＯＮ／ＯＦＦ回路５３２へ入力されている。
【００４９】
次に、第３の実施の形態によるクロック及びデータ再生回路の動作について説明する。
なお、動作タイミングについては、第１の実施の形態とほぼ同様であり、以下では、前述した図４のタイミングチャートを兼用して説明する。
【００５０】
前述と同様にして、時刻Ｔ１から入力されたパケットのＰＲ信号に基づき、時刻Ｔ２において所望の伝送速度を有するパケットであると判断された場合は、それ以降の入力信号Ｄｉｎがパケット選択回路５ｂから、クロック再生回路２２及びデータ再生回路２１に供給される。
これにより、クロック再生回路２２からはクロックＣｏｕｔが出力されるとともに、データ再生回路２１から受信データＤｏｕｔが出力される。
【００５１】
論理終端回路６では、このクロックＣｏｕｔに基づいて受信データＤｏｕｔから、そのパケットの最後尾のタイミングを決定する特定の情報を検出する。
この特定の情報として、例えばパケット長を示す情報を用いる場合は、その情報に基づきパケットの最後尾を含む所定の期間長をタイマーなどで計時し、そのタイムアップに応じて制御信号６１を出力すればよい。
また、特定情報として、例えばパケットの最後尾を示す情報を用いる場合は、その情報の検出に応じて制御信号６１を出力すればよい。
【００５２】
このようにして、時刻Ｔ３に論理終端回路６から制御信号６１がパケット選択回路５ｂに出力される。
パケット選択回路５ｂのゲート信号発生回路５３ｂでは、この制御信号６１によりＯＮ／ＯＦＦ回路５３２がＯＦＦ状態となり、ゲート信号５８の出力が停止される。
【００５３】
これにより、ゲート信号５８の出力が停止されてＳＷ回路５４がオフし、入力信号Ｄｉｎの出力が停止されるため、クロック再生回路２２でのクロック再生動作が停止される。
【００５４】
一方、時刻Ｔ１において、そのデータ伝送システムで用いる所望の伝送速度ではないＰＲ信号が同調回路５１に入力された場合は、前述と同様に、同調回路５１からの正弦波状の信号５６の振幅は十分小さく、しきい値を越えない。
したがって、積分回路５２から有効な積分出力５７が出力されず、ゲート信号５８が停止されたままとなる。
【００５５】
これにより、入力信号Ｄｉｎがクロック再生回路２２へ出力されなくなり、結果として、クロック再生動作を乱す可能性のある伝送速度のパケットであると判断されて、そのパケットが排除され、クロック再生動作が行われない。
【００５６】
このように、本実施の形態では、タイマー回路５３３の代わりに論理終端回路６を設けて、受信データＤｏｕｔからパケットに含まれるその最後尾を示す特定の情報を検出し、その特定の情報に基づきゲート信号５８の停止タイミング、すなわちパケットの最後尾までを含む期間を決定するようにしたので、ＳＷ回路５４において入力信号Ｄｉｎの出力を停止するタイミングをより正確に決定することができる。
【００５７】
さらに、第１の実施例と同様に、クロック再生回路２２及びデータ再生回路２１の前段にパケット選択回路５ｂが設けられているため、分岐点２３以降の構成が従来構成すなわちクロック及びデータ再生回路２（図１０参照）と同等となり、回路構成を変更することなく従来の構成をそのままの形で利用できる。
【００５８】
次に、図９を参照して、本発明の第４の実施の形態について説明する。
図９は本発明の第４の実施の形態であるクロック及びデータ再生回路を示すブロック図であり、前述の説明（図６参照）と同じまたは同等部分には同一符号が付してある。
第３の実施の形態では、クロック再生回路２２及びデータ再生回路２１の前段にパケット選択回路５ｂを設けた場合について説明したが、本実施の形態に示すように、クロック再生回路２２の前段にのみパケット選択回路５ｂを設けてもよい。
【００５９】
すなわち図９では、クロック及びデータ再生回路２ｄ内の分岐点２３とクロック再生回路２２との間に、パケット選択回路５ｂが設けられている。
この場合、入力信号Ｄｉｎは分岐点２３で分岐され、パケット選択回路５ｂとデータ再生回路２１とに供給される。
これにより、パケット選択回路５ｂで外乱パケットが選別排除された後の信号が、クロック再生回路２２へのみ供給される。
【００６０】
したがって、本実施の形態によれば、データ再生回路２１へは入力信号Ｄｉｎが加工されることなくそのままの形で入力されるため、データ再生回路２１において、従来と同等のデータ再生動作が保証される。
なお、パケット選択回路５ｂ及びゲート信号発生回路５３ｂの構成については、第３の実施の形態と同様であり、前述した図７さらには図８の構成がそれぞれ用いられる。
【００６１】
【発明の効果】
以上説明したように、本発明は、クロック再生回路及びデータ再生回路の前段にパケット選択回路を設けて、所望の伝送速度のパケットを選択し、クロック再生動作を乱す可能性のある伝送速度を有するパケットを排除し、これらパケットが排除された後の信号に基づいて、クロック及びデータの再生を行うようにし、この際、パケット選択回路において、入力信号内の各パケットに含まれる特定パターンに同調して正弦波状の信号を出力し、この正弦波状の信号を積分した積分出力に応じてゲート信号を発生させ、このゲート信号に基づき入力信号の出力制御を行うようにしたものである。
また、クロック再生回路の前段にのみパケット選択回路を設けて、所望の伝送速度のパケットを選択し、クロック再生動作を乱す可能性のある伝送速度のパケットを排除し、これらパケットが排除された後の信号に基づいて、クロックの再生を行うようにしたものである。
したがって、従来のクロック及びデータ再生回路から大きな設計変更をすることなく、パケット選択回路を付加するだけで、マルチレート信号から特定の伝送速度のパケットを抽出し、正確なクロック及びデータの再生を可能とするクロック及びデータ再生回路を構成できる。
【図面の簡単な説明】
【図１】本発明の第１の実施の形態によるクロック及びデータ再生回路のブロック図である。
【図２】パケット選択回路の構成例を示すブロック図である。
【図３】ゲート信号発生回路の構成例を示すブロック図である。
【図４】第１の実施の形態によるクロック及びデータ再生回路の動作の腰部を示すタイミングチャートである。
【図５】本発明の第２の実施の形態であるクロック及びデータ再生回路を示すブロック図である。
【図６】本発明の第３の実施の形態によるクロック及びデータ再生回路の構成例を示すブロック図である。
【図７】パケット選択回路の他の構成例を示すブロック図である。
【図８】ゲート信号発生回路の他の構成例を示すブロック図である。
【図９】本発明の第４の実施の形態であるクロック及びデータ再生回路を示すブロック図である。
【図１０】従来のクロック及びデータ再生回路の構成例を示す説明図である。
【図１１】従来のクロック及びデータ再生回路の動作例を示すタイミングチャートである。
【符号の説明】
１…入力端子、２ａ，２ｂ…クロック及びデータ再生回路、２１…データ再生回路、２２…クロック再生回路、３…データ出力端子、４…クロック出力端子、５ａ，５ｂ…パケット選択回路、５１同調回路、５２…積分回路、５３ａ，５３ｂ…ゲート信号発生回路、５３１…レベル判定回路、５３２…ＯＮ／ＯＦＦ回路、５３３…タイマー回路、５４…ＳＷ（スイッチ）回路、Ｄｉｎ…入力信号、Ｄｏｕｔ…受信データ、Ｃｏｕｔ…クロック、６…論理終端回路、６１…制御回路。
【図１】
0003626365.tif 000002
【図２】
0003626365.tif 000003
【図３】
0003626365.tif 000004
【図４】
0003626365.tif 000005
【図５】
0003626365.tif 000006
【図６】
0003626365.tif 000007
【図７】
0003626365.tif 000008
【図８】
0003626365.tif 000009
【図９】
0003626365.tif 000010
【図１０】
0003626365.tif 000011
【図１１】
0003626365.tif 000012